(57)【要約】【課題】例えば下肢空間に足置き用の横架材を設けた机や、下肢空間に横架材を設けていない机等、種々の机の下肢空間に好適に配置することができる整理棚を提供する。【解決手段】机Ｔの下肢空間Ｓ１に配置して用いられる整理棚１であって、収納空間を形成する収納具本体２と、収納具本体２を支持する支柱３と、支柱３の下端部から床面Ｆに沿って配設されたベース４とを具備してなり、収納具本体１の高さ位置を変更可能に構成し、収納具本体１の高さ位置を上昇させた所定の位置において、収納具本体１とベース４との間に空間Ｓ２が形成されるように設定した。【選択図】図１
2004222874.tif 000002
【特許請求の範囲】
【請求項１】
机の下肢空間に配置して用いられる整理棚であって、収納空間を形成する収納具本体と、該収納具本体を支持する支柱と、該支柱の下端部から床面に沿って配設されたベースとを具備してなり、前記収納具本体の高さ位置を変更可能に構成し、前記収納具本体の高さ位置を上昇させた所定の位置において、前記収納具本体と前記ベースとの間に空間が形成されるように設定していることを特徴とする整理棚。
【請求項２】
前記収納具本体が、上方が開放されたものであって、左右に離間させて１対設けた側板と、これら側板間に架け渡して設けた棚板及び底板とを具備してなり、前記棚板の高さ位置をも変更可能に構成している請求項１記載の整理棚。
【請求項３】
前記支柱が前記収納具本体を片持ち的に支持するものであり、前記収納具本体の一部に支柱をのみ込ませて所定位置に固定している請求項１又は２記載の整理棚。
【請求項４】
前記収納具本体が、上方が開放されたものであって、左右に離間させて１対設けた側板と、これら側板間に架け渡して設けた底板とを具備してなり、前記側板と前記底板とが別体であって、側板に前記支柱をのみ込ませた状態で、側板、支柱及び底板を共締めしている請求項１、２又は３記載の整理棚。
【請求項５】
前記底板を取り外さない限り側板間が離間しないように組み付けた状態で共締めしている請求項４記載の整理棚。
【請求項６】
前記側板と前記底板が別体であって、反支柱端側においてそれらのコーナー部を少なくとも２面において重合させた状態で共締めしている請求項３記載の整理棚。
【請求項７】
前記側板、前記底板及び前記収納具本体の背面を形成する背板がそれぞれ別体であって、反支柱端側においてそれらのコーナー部を少なくとも２面において重合させた状態で共締めしている請求項６記載の整理棚。
【請求項８】
前記底板を外さない限り前記背板、前記側板が分離しないように組み付けた状態で共締めしている請求項７記載の整理棚。
【請求項９】
前記棚板を少なくとも前記側板と収納具本体の背面を形成する背板に同時に係わり合わせて取り付けている請求項２記載の整理棚。
【請求項１０】
前記棚板の後端側を、前記棚板または前記背板の一方に設けた係合爪と、他方に設けた係合孔を係わり合わせることによって取り付けている請求項９記載の整理棚。
【請求項１１】
前記棚板の前端側を、前記側板と棚板とをねじ止めすることによって取り付けている請求項９又は１０記載の整理棚。
【請求項１２】
前記ベースの下端にキャスタを設けている請求項１、２、３、４、５、６、７、８、９、１０又は１１記載の整理棚。
【発明の詳細な説明】
【０００１】
【発明の属する技術分野】
本発明は、机の下肢空間に配置して用いられる整理棚に関するものである。
【０００２】
【従来の技術】
従来、机の下肢空間に配置される整理棚としては、例えば、収納空間を形成する収納具本体と、ベースとを備え、収納具本体とベースとの間に後方に開放する空間が常時形成されるように設定したものがある（例えば特許文献１参照）。
【０００３】
この整理棚は、下肢空間に例えば足置き用の桟等の横架材を設けているタイプの机の下肢空間に配置する場合、収納具本体とベースとの間に形成された空間に前記横架材を逃がすようにして、収納具本体が前記横架材と干渉することを回避している。
【０００４】
【特許文献１】
特開平３−２７５００４号公報（第２頁、第９図）
【０００５】
【発明が解決しようとする課題】
しかしながら、机によっては、下肢空間に横架材を設けていないタイプのものもある。このような机に前記特許文献１記載の整理棚を配置した場合、収納具本体とベースとの間に形成された空間が何らかの役割として機能することなく、当該空間は無駄なスペースとなる。この場合、収納具本体の高さ位置を低く設定することができれば収納具本体と机の天板との間に形成されるスペースを利用して収納することも可能であり、このような観点からも、収納具本体とベースとの間に形成された空間は収納効率を損なうものであり、やはり不要な空間である。このように、従来の整理棚は、下肢空間に横架材に設けているタイプの机には用いることができるものも、下肢空間に横架材を設けていないタイプの机には好適に用いることができないという不具合がある。また、この整理棚は、前記収納具本体を、左右に離間させて設けた側板と、側板間に設けた底板及び天板とから構成し、さらに、側板間に棚板を架け渡して設け、当該側板の高さ位置を変更可能に構成し、底板と棚板との間、及び棚板と天板との間にそれぞれ形成される収納空間の高さ寸法を所望の大きさに設定できるようにしている。しかしながら、収納空間の高さ寸法が天板により規制されるため、棚板と底板との間に形成される収納空間の高さ寸法を大きくするように棚板の高さ位置を設定した場合、棚板と天板との間に形成される収納空間の高さ寸法が小さくなり、収納可能な収納物が限定され、当該収納空間を整理棚として十分に機能させることができず、今ひとつ実用性に欠けるものである。
【０００６】
本発明は、このような課題に着目してなされたものであって、主たる目的は、例えば、下肢空間に足置き用の横架材を設けた机や、下肢空間に横架材を設けていない机等種々の机の下肢空間に好適に配置することができる整理棚を提供することにある。
【０００７】
【課題を解決するための手段】
本発明は、かかる目的を達成するために、次のような構成を採用したものである。
【０００８】
すなわち、本発明に係る整理棚は、机の下肢空間に配置して用いられる整理棚であって、収納空間を形成する収納具本体と、該収納具本体を支持する支柱と、該支柱の下端部から床面に沿って配設されたベースとを具備してなり、前記収納具本体の高さ位置を変更可能に構成し、前記収納具本体の高さ位置を上昇させた所定の位置において、前記収納具本体と前記ベースとの間に空間が形成されるように設定していることを特徴とする。
【０００９】
このようなものであれば、下肢空間に例えば足置き用の横架材等の部材を配設している机、下肢空間に横架材等の部材を配置していない机のどちらにも兼用することができる。すなわち、前者の机の下肢空間に配置する場合には、収納具本体の高さ位置を高く設定して収納具本体とベースとの間に空間を形成し、当該空間を利用して机の下肢空間に設けられた種々の部材、或いは使用者の足、特につま先と干渉しないように整理棚を配置することができ、好適に使用することができる。一方、後者の机の下肢空間に配置する場合には、収納具本体の高さ位置を低く設定して配置することも可能である。この場合、例えば収納具本体の高さ位置を低く設定した分、収納具本体と机との間に形成される空間の高さ寸法が大きくなり、当該空間を利用して収納することも可能であり、収納スペースを有効に稼ぐことができる。このように、横架材等の部材の有無に関係なく、種々の机に対応させて好適に用いることができ、汎用的利用が可能であり、極めて使い勝手の優れたものとすることができる。なお、「机」とは、学習机、テーブル、会議用デスク等、物品載置面たる天板を有する種々の家具を含む概念である。また、収納具本体とベースとの間に形成される空間は、前後左右のいずれかに開放する空間であればよい。
【００１０】
また、収納具本体の収納機能を充実させ、種々の収納態様を採用できるものとしては、前記収納具本体が、上方が開放されたものであって、左右に離間させて１対設けた側板と、これら側板間に架け渡して設けた棚板及び底板とを具備してなり、前記棚板の高さ位置をも変更可能に構成しているものが望ましい。
【００１１】
具体的な実施態様としては、前記支柱が前記収納具本体を片持ち的に支持するものであり、前記収納具本体の一部に支柱をのみ込ませて所定位置に固定しているものが挙げられる。
【００１２】
また、前記側板と前記底板とが別体であって、側板に前記支柱をのみ込ませた状態で、側板、支柱及び底板を共締めしていることが好ましい。
【００１３】
特に、前記底板を取り外さない限り側板間が離間しないように組み付けた状態で共締めしているものが好適である。
【００１４】
また、収納具本体の反支柱端側の取付強度を有効に高めるためには、前記側板と前記底板が別体であって、反支柱端側においてそれらのコーナー部を少なくとも２面において重合させた状態で共締めすればよい。
【００１５】
特に、前記側板、前記底板及び前記収納具本体の背面を形成する背板がそれぞれ別体であって、反支柱端側においてそれらのコーナー部を少なくとも２面において重合させた状態で共締めしているものが好ましい。
【００１６】
さらに、好適な取付態様としては、前記底板を外さない限り前記背板、前記側板が分離しないように組み付けた状態で共締めしているものが挙げられる。
【００１７】
また、前記棚板を少なくとも前記側板と収納具本体の背面を形成する背板に同時に係わり合わせて取り付けているものが望ましい。
【００１８】
具体的な実施の態様としては、前記棚板の後端側を、前記棚板または前記背板の一方に設けた係合爪と、他方に設けた係合孔を係わり合わせることによって取り付けているものが挙げられる。加えて、前記棚板の前端側を、前記側板と棚板とをねじ止めすることによって取り付けているものがより好適である。
【００１９】
また、簡単に移動できるようにするには、前記ベースの下端にキャスタを設ければよい。
【００２０】
【発明の実施の形態】
以下、本発明の一実施形態を、図面を参照して説明する。
【００２１】
本実施形態に係る整理棚１は、例えば図１等に示すような机Ｔの下肢空間に配置されて用いられるものである。
【００２２】
机Ｔは、図１又は図３に示すように、天板Ｔ１と、天板Ｔ１を支持する支柱Ｔ２とを備え、下肢空間Ｓ１に、前後に位置する支柱Ｔ２間に設けた補強材Ｔ３と、補強材Ｔ３間に架け渡して一体に設けた足置き用の横架材Ｔ４とを備えてなる周知のものである。
【００２３】
整理棚１は、図１〜図５に図示するように、書類やボックスファイル等種々の収納物が収納可能な収納空間を形成する収納具本体２と、収納具本体２を片持ち的に支持する支柱３と、支柱３の下端部から床面Ｆに沿って配設されたベース４とを具備する。
【００２４】
収納具本体２は、左右に離間して設けた一対の側板５と、両側板５の後端部間に設けた背板６と、両側板５の下端部間に架け渡して設けた底板７とを組み上げ、両側板５間の任意の高さ位置に棚板８を架け渡してなり、前方及び上方を開放したものである。なお、「前方（前端側、前端部）」とは机Ｔの使用端側に対応する側であり、「後方（後端側、前端部）」とは机Ｔの反使用端側に対応する側である（以後も同義で用いる）。
【００２５】
各板材５、６、７及び８は例えばスチール材を折り曲げ成形してなるものである。
【００２６】
具体的に説明すると、側板５は、図６〜図８等に示すように、一枚のスチール材の縁部を内方に折り返してなり、前端部には、支柱３をのみ込むように平面視略矩形状に折り曲げてなる角パイプ部５１を高さ方向に沿って形成している。この角パイプ部５１の下端部には幅方向に貫通するように形成してなる一対のねじ挿通孔５２を高さ方向に所定間隔離間して設けている。また、後端側の上下端部の所定位置にそれぞれねじ挿通孔５３、５４を形成するとともに、角パイプ部５１の後縁より若干後方の位置に、上端部から中間部に亘って間欠的に高さ位置の異なる複数のねじ挿通孔５５を高さ方向に沿って一定のピッチで形成している。
【００２７】
背板６は、図６〜図８等に示すように、一枚のスチール材の縁部を前方に折り返してなり、両側端部をさらに２段階に折り返し後述する棚板８の後端部に形成した切欠部８１が当たる当たり部６１を形成している。この当たり部６１には、正面視略矩形状の係合孔６２を前記ねじ挿通孔５５のピッチに対応するように所定間隔離間させて高さ方向に複数設けている。背板６の両側端部には、前記側板５の後端側に形成したねじ挿通孔５３、５４に対応する高さ位置にそれぞれ幅方向に貫通するねじ挿通孔６３、６４を形成している。また、ねじ挿通孔６３を形成した部位の内面に、ねじ挿通孔６３に連通するねじ孔を有するナット部材６５を例えば溶接等により一体的に取り付けている。
【００２８】
底板７は、図６、図８等に示すように、一枚のスチール材の縁部を下方に折り返してなり、前端部に、底板７を側板に取り付けた状態において側板５の角パイプ部５１に略緊密に外接する切欠部７１を有している。この切欠部７１の内面には、当該切欠部７１の形状に合致する補強部材７２を例えば溶接等により一体的に取り付けている。また、切欠部７１には角パイプ部５１に形成したねじ挿通孔５２に対応させて幅方向に貫通するねじ挿通孔７３を形成し、前記補強部材７２に、ねじ挿通孔７３に連通するねじ孔を切ってある。さらに、底板の後端部には、側板５に形成したねじ挿通孔５４に対応させて幅方向に貫通するねじ挿通孔７５を形成し、ねじ挿通孔７５を形成した部位の内面に、このねじ挿通孔７５に連通するねじ孔を有するナット部材７６を例えば溶接等を施して一体的に取り付けている。
【００２９】
棚板８は、図６等に示すように、一枚のスチール材の縁部を下方に折り返してなり、後端部に、棚板８を背板７に取り付けた状態において背板６の当たり部６２に略緊密に外接する切欠部８１を有する。この切欠部８１を形成した部位の内面に前記係合孔６２に係合可能な係合爪８２を例えば溶接等を施して一体的に取り付けている。係合爪８２は、薄板状のものであり、後方に突出してなる側面視略半円弧状の爪本体８２ａを設けている。棚板８の前端部には、側板５の前端部に形成したねじ挿通孔５５に対応させて幅方向に貫通するねじ挿通孔８３を形成し、ねじ挿通孔８３を形成した部位の内面に、ねじ挿通孔８３に連通するねじ孔を有するナット部材８４を例えば溶接等により一体的に取り付けている。
【００３０】
支柱３は、概略四角柱状のものであり、側板５の角パイプ部５１に内接可能な寸法に設定されている。支柱３の高さ方向略中央位置、及び下端部近傍位置に、前記角パイプ部５１に形成したねじ挿通孔５２に対応させて、幅方向に貫通する貫通孔３１、３２をそれぞれ一対にして形成している。
【００３１】
ベース４は、支柱３の下端から連続して後方に水平に伸びる概略四角柱状のものである。このベース４の前後端部には床面Ｆに接地し転動可能なキャスタ４１を一体的に取り付けている。キャスタ４１は既知の構成を採用したものである。左右に離間して設けたベース４の上端部間に網棚４２を取り外し可能に取り付けている。なお、支柱３とベース４とは単一の部材から形成されている。
【００３２】
次に、上記各部材からなる整理棚１の組み立て手順を順を追って説明する。
【００３３】
先ず、背板６のねじ挿通孔６３、６４と側板５のねじ挿通孔５３、５４とがそれぞれ連通するように背板６と側板５とを当接又は近接させる。そして、ねじＶ１をねじ挿通孔５３、６３に挿通し、そのままナット部材６５のねじ孔にねじ合わせする。これにより、背板６のコーナー部６Ｃ及び側板５のコーナー部５Ｃが２面において重合した状態で共締めされ、背板６と側板５の上端部が固定される。次いで、底板７のねじ挿通孔７５を、前記連通させたねじ挿通孔５４、６４にさらに連通するように底板７の後端部を側板５及び背板６に近接又は当接させるとともに、底板７の切欠部７１を側板５の角パイプ部５１に略緊密に外接させ、底板７のねじ挿通孔７３と角パイプ部５１のねじ挿通孔５２とを連通させる。そして、ねじＶ２をねじ挿通孔５４、６４、７５の順に挿通し、引き続きナット部材７６のねじ孔にねじ合わせする。この作業により、底板７のコーナー部７Ｃ、背板６のコーナー部６Ｃ及び側板５のコーナー部５Ｃを２面において重合した状態で共締めし、背板６と側板５の下端部を底板７の後端部とともに固定する（図８参照。なお、図８は模式図であり、実際の取付状態においては、各コーナー部５Ｃ、６Ｃ、７ＣがねじＶ２により略緊密に締着されている）。この状態において、底板７の下方に折り返してなる両側端部の下端が、側板５の内方に折り返してなる下片に当接するとともに、底板７の後縁部の下端が、背板６の内方に折り返してなる下片に当接している。以上の手順により、後端側の上下端部を強固に固定し、前方及び上方を開放した収納具本体２を組み立てる。なお、この段階では棚板８は取り付けられていない。
【００３４】
次に、支柱３の上端から高さ方向略中間位置に亘る部位を側板５の角パイプ部５２にのみ込ませるようにして支柱３の上方から前記収納具本体２を徐々に下降させる。そして、ねじ挿通孔５２が支柱３の貫通孔３１又は３２（本実施形態では貫通孔３１）と連通する位置で、ねじＶ３をねじ挿通孔５２、貫通孔３１及びねじ挿通孔７３の順に挿通し、当該ねじＶ３を補強部材７２のねじ孔にねじ合わせする。これにより、支柱３を角パイプ部５１にのみ込ませた状態で、支柱３、側板５及び底板７を共締めして固定する（図８参照）。この場合、収納具本体２とベース４との間に後方に全開放した空間Ｓ２が形成される（図５（ａ）参照）。
【００３５】
次に、棚板８の取り付け手順を説明する。先ず、背板６の前端及び後端がそれぞれ角パイプ部５１及び当たり部６１に当たらないように棚板８を若干傾斜させて底板７の上方に持ち来し、棚板８の係合爪８２の爪本体８２ａを当たり部８１に形成した係合孔６２の何れか（本実施形態では最上に位置する係合孔）に下方から上方に差し込むようにして挿入する（図７（ａ））。そして、爪本体８２ａを係合孔６２に漸次深く挿入しながら棚板８が略水平となる位置まで棚板８の前端部を同図中に示す矢印の方向に回転させる（同図（ｂ））。そして、その位置において、棚板８の前端部に設けたねじ挿通孔８３と、側板５の前端部に設けたねじ挿通孔５５とが連通し、その状態でねじ挿通孔５５、８３にねじＶ４を挿通し、ナット部材８４のねじ孔にねじ合わせすることにより、棚板８及び側板５を共締めして固定する。
【００３６】
以上の手順で組み立てられた整理棚１は、底板７と棚板８との間、及び棚板８上方にそれぞれ収納空間を構成し、机Ｔの下肢空間Ｓ１に配置した場合、底板７とベース４との間に形成された空間Ｓ２に机Ｔの横架材Ｔ４が位置する。
【００３７】
この整理棚１は収納物の寸法や収納態様等、使用者のニーズに合わせて棚板８の高さ位置を変更可能に構成している。棚板８の高さ位置を調節するには、先ず、ねじＶ４とナット部材８４のねじ孔との螺合状態を解除してねじＶ４を取り外すとともに、棚板８を傾斜させて爪本体８２ａと係合孔６２との係合を解除する。そして、所望の高さ位置に位置する係合孔６２に爪本体８２ａを挿入するとともに、前記同様、棚板８を略水平となる位置まで回転させて、その高さ位置に位置するねじ挿通孔５５とねじ挿通孔８３とを連通させ、Ｖ４をナット部材８４のねじ孔にねじ合わせする。この操作により、図３に示すように、棚板８の高さ位置を、例えば２点鎖線で示す棚板８（ａ）の高さ位置に変更することができる。
【００３８】
また、収納具本体２の高さ位置をも変更可能に構成している。収納具本体２の高さ位置を調節するには、先ず、ねじＶ３と補強部材７２のねじ孔との螺合状態を解除してねじＶ３を取り外し、収納具本体２を支柱３に沿って下降させる。そして、支柱３の下端部に形成した貫通孔３２とねじ挿通孔５５とを連通させ、当該位置において、ねじ挿通孔５２、貫通孔３２及びねじ挿通孔７３の順にねじＶ３を挿通し、当該ねじＶ３を補強部材７２のねじ孔にねじ合わせする。この操作により、図５（ａ）に示す収納具本体２の高さ位置を、同図（ｂ）に示す収納具本体２（ａ）の高さ位置に変更することができる。
【００３９】
このように本発明に係る整理棚１は、収納具本体２の高さ位置を変更可能に構成し、収納具本体２の高さ位置を上昇させた位置において、収納具本体２とベース４との間に後方に開放する空間Ｓ２が形成されるように設定しているため、収納具本体２の高さ位置を調節することにより形成される空間Ｓ２を利用して、収納具本体２が机Ｔの横架材Ｔ４と干渉しないように下肢空間Ｓ１に配置することができるとともに、収納具本体２の収納空間を利用して収納物を収納することもでき、整理棚としての機能を何ら損なうことなく好適に使用することができる。また、下肢空間に横架材を設けていない机には、収納具本体２の高さ位置を低くして使用することも可能であり、机のタイプや配置箇所、使用態様等に柔軟に対応させて用いることができ、極めて実用的である。
【００４０】
また、収納具本体２が、上方が開放されたものであって、側板５間に架け渡して設けた棚板８の高さ位置をも変更可能に構成しているものであるため、底板７と棚板８との間、及び棚板８上方の収納空間の高さ寸法を、収納物の高さ寸法に合わせて変更することができる。加えて、上方を開放しているため、収納具本体２に天板を設けているものと比較して、棚板８と底板７との間に形成される収納空間の高さ寸法を大きくするように棚板８の高さ位置を設定した場合であっても、棚板８上方に形成される収納空間が前記天板によって仕切られることがなく、棚板８上方の収納空間に、収納具本体２の上端より上方にはみ出した状態で収納物を収納することが可能であり、収納具本体２の収納機能を充実させ、種々の収納態様を採用することが可能である。特に収納具本体２と机Ｔの天板Ｔ１との間に一定の空間が存在する場合には有用である。
【００４１】
また、側板５に支柱３をのみ込ませて支柱３の高さ方向中間部位または下端部に固定しているため、少なくとも支柱３の高さ方向中間部位から上端部に亘る部位が側板５に内接し、支柱３の支持強度を有効に高めることができ、支柱３が収納具本体２を片持ち的に支持するものであっても、安定した支持状態を実現することができる。
【００４２】
加えて、側板５に支柱３をのみ込ませた状態で、側板５、支柱３及び底板７を共締めしているため、最小限の作業数により各部材を一体的かつ堅牢に取り付けることができるとともに、底板７を取り外さない限り側板５間が離間しないように組み付けた状態で共締めしているため、良好な取付状態を維持することができる。
【００４３】
また、収納具本体２の反支柱端側において、側板５、背板６及び底板７の各コーナー部５Ｃ、６Ｃ及び７Ｃを２面において重合させた状態で共締めしているため、前記同様最小限の作業数により各部材を一体的に取り付けることができるとともに、各コーナー部５Ｃ、６Ｃ及び７Ｃをそれぞれ１面において重合させた取り付けた場合と比較して反支柱端側のコーナー部の強度を有効に高めることができる。
【００４４】
さらに、底板７を外さない限り背板６、側板５が分離しないように組み付けた状態で共締めしているので、良好な取付状態を維持することが可能である。
【００４５】
また、棚板８を少なくとも側板５と背板６に同時に係わり合わせて取り付けているため、棚板８の取付状態をも良好なものとすることができる。
【００４６】
加えて、棚板５の後端側を、棚板８に設けた係合爪８２と背板６に設けた係合孔６２を係わり合わせることによって取り付けているため、取付位置が視認することが困難な収納具本体２の後端部位における取り付けを比較的簡単に行うことができる。さらに、棚板８の前端側を、側板５と棚板８とをねじ止めすることによって取り付けているため、後端側における係合爪８２と係合孔６５との係わり合いと相まって棚板８の強固な取付状態を実現することができる。
【００４７】
また、ベース４の下端にキャスタ４１を設けているので、整理棚１自体の移動を簡単に行うことができる。
【００４８】
なお、本発明は以上に述べた実施形態に限られない。
【００４９】
例えば、収納具本体２を、支柱３の貫通孔３１と貫通孔３２との間にさらに複数の貫通孔を設け、何れかの貫通孔を利用して収納具本体２と支柱３とを取付可能に構成してもよい。このようにすれば、収納具本体２の高さ位置の選択肢が増え、机に合わせて収納具本体２の高さ位置を適宜変更することができる。
【００５０】
また、収納具本体とベースとの間に形成される空間が前方に開放するものであっても構わない。この場合は、整理棚を机の後方から前方に移動させればよい。さらに、収納具本体とベースとの間に形成される空間が側方に開放するように設定し、机の前後に位置する支柱間に設けた補強材Ｔ３を当該空間に逃がすように、下肢空間に配置するようにしてもよい。
【００５１】
また、複数の係合爪を背板に設けるとともに、係合孔を棚板に設けたものであっても、好適に用いることができる。
【００５２】
外観の良好を図るためには、各ねじを被覆するように適宜のキャップを取り付けても構わない。
【００５３】
また、本実施形態における机の代わりに、学習机、テーブル、会議用デスク等を用いて、それらの下肢空間に整理棚を配置してもよい。
【００５４】
その他の構成も、本発明の趣旨を逸脱しない範囲で種々変形が可能である。
【００５５】
【発明の効果】
以上説明したように本発明によれば、下肢空間に例えば足置き用の横架材等の部材を配設している机、下肢空間に横架材等の部材を配置していない机等種々の机に好適に適用することができる。すなわち、前者の机の下肢空間に配置する場合には、収納具本体の高さ位置を高く設定して収納具本体とベースとの間に空間を形成し、当該空間を利用して机の下肢空間に設けられた種々の部材、或いは使用者の足、特につま先と干渉しないように整理棚を配置することができ、好適に使用することができる。一方、後者の机の下肢空間に配置する場合には、収納具本体の高さ位置を低く設定して配置することも可能である。この場合、例えば収納具本体の高さ位置を低く設定した分、収納具本体と机との間に形成される空間の高さ寸法が大きくなり、当該空間を利用して収納することも可能であり、収納スペースを有効に稼ぐことができる。このように、横架材等の部材の有無に関係なく、種々の机に対応させて好適に用いることができ、汎用的利用が可能であり、極めて使い勝手の優れたものとすることができる。
【図面の簡単な説明】
【図１】本発明の一実施形態に係る整理棚の使用態様を示す全体斜視図。
【図２】同実施形態に係る整理棚の全体斜視図。
【図３】同正面図。
【図４】同平面図。
【図５】同側面図。
【図６】同分解斜視。
【図７】作用説明図。
【図８】同実施形態に係る整理棚の側板、背板及び底板を取付態様を一部省略して模式的に示す図。
【符号の説明】
１…整理棚
２…収納具本体
３…支柱
４…ベース
５…側板
６…背板
６２…係合孔
７…底板
８…棚板
８２…係合爪
Ｓ２…空間
【図１】
2004222874.tif 000003
【図２】
2004222874.tif 000004
【図３】
2004222874.tif 000005
【図４】
2004222874.tif 000006
【図５】
2004222874.tif 000007
【図６】
2004222874.tif 000008
【図７】
2004222874.tif 000009
【図８】
2004222874.tif 000010